(57)【要約】【課題】容易に大型のリーダ・ライタ用アンテナを製造することができるリーダ・ライタ用アンテナの製造方法を提供する。【解決手段】先ず、複数本の巻線を帯状に配列してなる巻線束をそれぞれ筒状の上辺部２１、左辺部２２、下辺部２３、右辺部２４及び第１〜第４ジョイント３１〜３４に交互に挿入する。続いて、第４ジョイント３４の上側開口部３４ｃのから巻線束の両端部を引き出した状態で、上辺部２１、左辺部２２、下辺部２３、右辺部２４及び第１〜第４ジョイント３１〜３４を連結して枠状の中空ケース１１を組み立てる。そして、各巻線の一端部と各巻線の他端部とを互いに接続して巻線束によりコイル１２を構成することで、リーダ・ライタ用アンテナ３を製造する。【選択図】図２
2010124077.tif 000002
【特許請求の範囲】
【請求項１】
非接触でデータの通信を行うＲＦＩＤシステムに用いられる枠状のリーダ・ライタ用アンテナの製造方法であって、
複数本の巻線を帯状に配列してなる巻線束を、複数の筒状体と前記各筒状体同士を連結する複数の接合部材とに交互に挿入する工程と、
前記各筒状体の開口部及び前記各接合部材の開口部のうちの何れか１つから前記巻線束の両端部を引き出した状態で、前記各筒状体と前記各接合部材とを連結して枠状の中空ケースを組み立てる工程と、
前記巻線束の両端部のうちの一端側の前記各巻線と前記巻線束の両端部のうちの他端側の前記各巻線とを互いに接続して前記巻線束によりコイルを構成する工程と
を備えたことを特徴とするリーダ・ライタ用アンテナの製造方法。
【請求項２】
前記筒状体は、円筒体であり、
前記巻線束を前記各筒状体内に挿入する前に、前記巻線束の幅よりも大きな幅を有する平板状の中板を、前記中空ケースの開口方向と平行になるように前記各筒状体内に挿入する工程を備え、
前記巻線束を前記筒状体内における前記中板の外周側に挿入することを特徴とする請求項１に記載のリーダ・ライタ用アンテナの製造方法。
【発明の詳細な説明】
【技術分野】
【０００１】
本発明は、枠状のリーダ・ライタ用アンテナの製造方法に関するものである。
【背景技術】
【０００２】
従来、河川や用水路、或いはダムや河口堰などに設けられた魚道等の水域を遡上したり、下ったりする魚類の計数は、同水域を通過する魚類を直接視認することで計数する目視調査などにより行われていた。しかしながら、目視調査によって魚類を計数する場合には、計数対象以外の魚類についてもカウントしてしまう虞や計数対象となる魚類を見落とす虞があり、計数結果の精度が低くなる等の問題があった。
【０００３】
そこで、近年では、ＩＣタグを使用し、リーダ・ライタ装置との間で電波を用いて非接触方式にて情報の授受を行う、所謂ＲＦＩＤ（Radio Frequency IDentification）システムを利用して魚類の計数が行われている。具体的には、計数対象となる魚に、電波を送受信するタグ用アンテナを接続したＩＣチップを有するＩＣタグを装着させて放流し、魚道等の水域に設けられたリーダ・ライタ装置によりＩＣタグを認識することで、同魚道等の水域を通過した魚類を計数するようになっている。
【０００４】
ＲＦＩＤシステムは、リーダ・ライタ装置とＩＣタグからなる以下に示すシステムである（例えば、特許文献１参照）。詳述すると、情報を含んだ電波を発信しているリーダ・ライタ装置のリーダ・ライタ用アンテナにＩＣタグを近づけると、ＩＣタグはそのタグ用アンテナにてリーダ・ライタ用アンテナからの電波を受信する。ＩＣタグは、タグ用アンテナにて受信した電波の電磁誘導作用により起電力を発生させ、ＩＣチップを起動させる。起動したＩＣチップは、受信した電波に含まれた情報に基づく処理を実行し、タグ用アンテナからの情報を電波にしてリーダ・ライタ用アンテナに送信する。そして、リーダ・ライタ装置は、ＩＣタグからの電波をリーダ・ライタ用アンテナにて受信することでＩＣタグの情報を取得する。
【０００５】
ところで、魚道等の水域に設置されるリーダ・ライタ用アンテナとしては、四角枠状に形成され、この枠内を通過する魚に装着したＩＣタグとの間で電波の送受信を行うものが知られている。このような枠状のリーダ・ライタ用アンテナは、以下のようにして製造される。
【０００６】
先ず、図１０（ａ），（ｂ）に示すように、平面視ロ字状に形成された平板状の第１ベース部材７１に対し、その内周縁に沿って四角筒体７２を接着する。次いで、図１１に示すように、四角筒体７２の外周面７２ａに巻線７３を巻回してコイル７４を設ける。このように、四角筒体７２の外周面７２ａが露出した状態でコイル７４を設けるため、巻線７３を容易に巻回することができ、コイル７４の占積率の向上を図ることができる。
【０００７】
そして、図１２に示すように、第１ベース部材７１と同形状に形成した第２ベース部材７５を、四角筒体７２を介して第１ベース部材７１と対向するように四角筒体７２に接着する。そして、四角筒体７２に巻回されたコイル７４を液密的に覆うように第１ベース部材７１と第２ベース部材７５との間に板状のカバー７６を接着してリーダ・ライタ用アンテナを製造している。
【特許文献１】特開２００５−１１５５８０号公報
【発明の開示】
【発明が解決しようとする課題】
【０００８】
ところで、リーダ・ライタ用アンテナを設置する魚道の幅が広い場合等には、大型のリーダ・ライタ用アンテナを用いる必要がある。ここで、第１及び第２ベース部材７１，７５はアクリル樹脂製の平板から構成されるため、リーダ・ライタ用アンテナが大型化すると、その製造時において、例えば第１ベース部材７１を持ち運ぶ際にその自重による撓みに起因して割れ等が生じ易くなる。従って、上記従来の方法では、大型のリーダ・ライタ用アンテナを製造することが困難であるという問題があった。
【０００９】
本発明は、上記問題点を解決するためになされたものであって、その目的は、容易に大型のリーダ・ライタ用アンテナを製造することができるリーダ・ライタ用アンテナの製造方法を提供することにある。
【課題を解決するための手段】
【００１０】
上記目的を達成するため、請求項１に記載の発明は、非接触でデータの通信を行うＲＦＩＤシステムに用いられる枠状のリーダ・ライタ用アンテナの製造方法であって、複数本の巻線を帯状に配列してなる巻線束を、複数の筒状体と前記各筒状体同士を連結する複数の接合部材とに交互に挿入する工程と、前記各筒状体の開口部及び前記各接合部材の開口部のうちの何れか１つから前記巻線束の両端部を引き出した状態で、前記各筒状体と前記各接合部材とを連結して枠状の中空ケースを組み立てる工程と、前記巻線束の両端部のうちの一端側の前記各巻線と前記巻線束の両端部のうちの他端側の前記各巻線とを互いに接続して前記巻線束によりコイルを構成する工程とを備えたことを要旨とする。
【００１１】
上記構成によれば、複数の巻線を配列した帯状の巻線束を各筒状体と各接合部材とに交互に挿入し、これら各筒状体及び各接合部材を連結して枠状の中空ケースを構成した後に、各巻線の一端側と他端側とを互いに接続することで中空ケース内にコイルが構成され、枠状のリーダ・ライタ用アンテナが製造される。このように、筒状体を用いて中空ケースを構成するため、従来のように平板状の部材を用いる場合に比べ、例えばリーダ・ライタ用アンテナを構成する各部材を持ち運ぶ際にその自重による撓みに起因した割れ等が生じ難く、容易に大型のリーダ・ライタ用アンテナを製造することができる。
【００１２】
請求項２に記載の発明は、請求項１に記載のリーダ・ライタ用アンテナの製造方法において、前記筒状体は、円筒体であり、前記巻線束を前記各筒状体内に挿入する前に、前記巻線束の幅よりも大きな幅を有する平板状の中板を、前記中空ケースの開口方向と平行になるように前記各筒状体内に挿入する工程を備え、前記巻線束を前記筒状体内における前記中板の外周側に挿入することを要旨とする。
【００１３】
上記構成によれば、筒状体が円筒状に形成されるため、例えば筒状体を四角筒状に形成する場合に比べ、小径（小さな断面積）の筒状体で幅広の巻線束を挿入でき、リーダ・ライタ用アンテナの軽量化を図ることができる。そして、巻線束（コイル）は、筒状体内に挿入された平板状の中板に当接するため、円筒体の内周面に巻線束が当接して巻線の配列が乱れることを防止できる。また、塩化ビニル管などの汎用部品を利用してリーダ・ライタ用アンテナを製造することができ、コストの低減を図ることができる。
【発明の効果】
【００１４】
本発明によれば、容易に大型のリーダ・ライタ用アンテナを製造することが可能なリーダ・ライタ用アンテナの製造方法を提供することができる。
【発明を実施するための最良の形態】
【００１５】
以下、本発明を具体化した一実施形態を図面に従って説明する。
図１に示すように、リーダ・ライタ装置１は、アンテナチューナ２を介して接続される四角枠状に形成されたリーダ・ライタ用アンテナ３を備えている。リーダ・ライタ用アンテナ３は、その枠内の空間を通過する魚６４（図９参照）に装着したＩＣタグ６５（図９参照）との間で電波の送受信を行うようになっている。そして、リーダ・ライタ装置１は、リーダ・ライタ用アンテナ３を介して電波を送受信し、魚６４に装着したＩＣタグ６５、即ち通過した魚６４を認識するようになっている。
【００１６】
図２に示すように、リーダ・ライタ用アンテナ３は、四角枠状の中空ケース１１と、中空ケース１１内に巻回されたコイル１２とから構成されている。本実施形態では、コイル１２は単層ソレノイドコイルにより構成されている。
【００１７】
中空ケース１１は、上辺部２１と、左辺部２２と、下辺部２３と、右辺部２４とを備えている。本実施形態では、これら上辺部２１、左辺部２２、下辺部２３及び右辺部２４は、両端が開口した直線状の円筒体であり、塩化ビニル管からなる。そして、上辺部２１と下辺部２３は軸線方向の長さが同一となるように形成され、左辺部２２と右辺部２４は軸線方向の長さが同一となるように形成されている。
【００１８】
上辺部２１、左辺部２２、下辺部２３及び右辺部２４内には、長方形板状の中板２６〜２９がそれぞれ挿入されている。本実施形態では、各中板２６〜２９は、ベニヤ板にて形成されている。各中板２６〜２９の幅は対応する上辺部２１、左辺部２２、下辺部２３及び右辺部２４の内径とそれぞれ同一に形成されるとともに、各中板２６〜２９の長さは対応する上辺部２１、左辺部２２、下辺部２３及び右辺部２４の軸線方向の長さと同一に形成されている。そして、各中板２６〜２９は、対応する上辺部２１、左辺部２２、下辺部２３及び右辺部２４に対しその中心軸線に沿って配設され、且つ上辺部２１の中板２６と下辺部２３の中板２８とが平行で互いに相対向するように固着されているとともに、左辺部２２の中板２７と右辺部２４の中板２９とが平行で互いに相対向するように固着されている。従って、各中板２６〜２９は、四角枠状に形成された中空ケース１１の開口方向（図２における紙面垂直方向）と平行になるように、上辺部２１、左辺部２２、下辺部２３及び右辺部２４内にそれぞれ挿入されている。
【００１９】
また、中空ケース１１は、上辺部２１、左辺部２２、下辺部２３及び右辺部２４を連結する接合部材としての第１〜第３ジョイント３１〜３３を備えている。本実施形態では、第１〜第３ジョイント３１〜３３は、正面視Ｌ字状に形成され、開口方向が直交するように構成された円筒体である。また、第１〜第３ジョイント３１〜３３は、上辺部２１、左辺部２２、下辺部２３及び右辺部２４と同様に、塩化ビニル管からなる。
【００２０】
具体的には、第１ジョイント３１の右側開口部３１ａには上辺部２１の左側開口部２１ａが嵌合されるとともに、第１ジョイント３１の下側開口部３１ｂには左辺部２２の上側開口部２２ａが嵌合され、それぞれ接着材等により固着されている。これにより、第１ジョイント３１は、上辺部２１と左辺部２２とを液密的に連結するようになっている。
【００２１】
第２ジョイント３２の上側開口部３２ａには左辺部２２の下側開口部２２ｂが嵌合されるとともに、第２ジョイント３２の右側開口部３２ｂには下辺部２３の左側開口部２３ａが嵌合され、それぞれ接着材等により固着されている。これにより、第２ジョイント３２は、左辺部２２と下辺部２３とを液密的に連結するようになっている。
【００２２】
第３ジョイント３３の左側開口部３３ａには下辺部２３の右側開口部２３ｂが嵌合されるとともに、第３ジョイント３３の上側開口部３３ｂには右辺部２４の下側開口部２４ａが嵌合され、それぞれ接着材等により固着されている。これにより、第３ジョイント３３は下辺部２３と右辺部２４とを液密的に連結している。
【００２３】
さらに、中空ケース１１は、上辺部２１と右辺部２４とを連結する接合部材としての第４ジョイント３４と、第４ジョイント３４の開口を閉塞するキャップ３５とを備えている。第４ジョイント３４は、正面視Ｔ字状に形成され、軸方向両側及び軸方向と直交する一方側に開口した円筒体である。第４ジョイント３４は、第１〜第３ジョイント３１〜３３と同様に、塩化ビニル管からなる。
【００２４】
第４ジョイント３４の左側開口部３４ａには上辺部２１の右側開口部２１ｂが嵌合されるとともに、第４ジョイント３４の下側開口部３４ｂには右辺部２４の上側開口部２４ｂが嵌合され、それぞれ接着材等により固着されている。また、第４ジョイント３４の上側開口部３４ｃは、キャップ３５により閉塞されている。
【００２５】
そして、コイル１２は、中空ケース１１の周方向に沿って巻回され、上辺部２１、左辺部２２、下辺部２３及び右辺部２４内における各中板２６〜２９の外側面側に配置されている。また、コイル１２の巻き始めの始端接続部１２ａと巻き終わりの終端接続部１２ｂは、キャップ３５を液密的に貫通して第４ジョイント３４の上側開口部３４ｃから引き出され、アンテナチューナ２に接続されている。
【００２６】
図３に示すように、アンテナチューナ２は、コイル１２の始端接続部１２ａと終端接続部１２ｂに接続される第１及び第２接続端子Ｐ１，Ｐ２、及びリーダ・ライタ装置１のケーブル（図示略）に接続される第３及び第４接続端子Ｐ３，Ｐ４を備えている。
【００２７】
第１接続端子Ｐ１と第３接続端子Ｐ３との間には、固定容量部４１と、並列接続された第１及び第２可変容量部４２，４３とが直列接続されている。
固定容量部４１は、複数（本実施形態では、４つ）のコンデンサＣ１１〜Ｃ１４が並列に接続されている。各コンデンサＣ１１〜Ｃ１４は、それぞれ予め定めた同じ値の第１の容量（本実施形態では、２２００ｐＦ）を有するコンデンサにて構成されている。
【００２８】
第１可変容量部４２は、複数（本実施形態では、７つ）のコンデンサＣ２１〜Ｃ２７と、直列接続された複数（本実施形態では、２つ）のコンデンサＣ２８，Ｃ２９とが並列に接続されている。各コンデンサＣ２１〜Ｃ２９は、それぞれ予め定めた同じ値の第２の容量（本実施形態では、２２００ｐＦ）を有するコンデンサにより構成されている。そして、各コンデンサＣ２１〜Ｃ２８の第１端子には、ジャンパーピン４５ａ〜４５ｈを抜き差し可能な切り替え端子部４６ａ〜４６ｈがそれぞれ接続されている。つまり、第１可変容量部４２は、各切り替え端子部４６ａ〜４６ｈに各ジャンパーピン４５ａ〜４５ｈを抜き差しすることで、その合成容量を変更可能に構成されている。
【００２９】
具体的には、コンデンサＣ２８，Ｃ２９が直列接続されており、これらの合成容量が１１００ｐＦとなるため、各ジャンパーピン４５ａ〜４５ｈを抜き差しすることで第１可変容量部４２の合成容量を１１００ｐＦ単位で変更可能になっている。
【００３０】
また、第２可変容量部４３は、複数（本実施形態では、４つ）のコンデンサＣ３１〜Ｃ３４と、直列接続された複数（本実施形態では、２つ）のコンデンサＣ３５，Ｃ３６とが並列に接続されている。各コンデンサＣ３１〜Ｃ３６は、それぞれ予め定めた同じ値の第３の容量（本実施形態では、２２０ｐＦ）を有するコンデンサにより構成されている。そして、各コンデンサＣ３１〜Ｃ３６の第１端子には、ジャンパーピン４７ａ〜４７ｅを抜き差し可能な切り替え端子部４８ａ〜４８ｅがそれぞれ接続されている。そして、第２可変容量部４３は、各切り替え端子部４８ａ〜４８ｅに各ジャンパーピン４７ａ〜４７ｅを抜き差しすることで、その合成容量を変更可能に構成されている。
【００３１】
具体的には、コンデンサＣ３５，Ｃ３６が直列接続されており、これらの合成容量が１１０ｐＦとなるため、各ジャンパーピン４７ａ〜４７ｅを抜き差しすることで第２可変容量部４３の合成容量を１１０ｐＦ単位で変更可能になっている。
【００３２】
そして、アンテナチューナ２は、第１及び第２可変容量部４２，４３の各合成容量を変更することで第１接続端子Ｐ１と第３接続端子Ｐ３との間の合成容量を調整するようになっている。そして、製造されたリーダ・ライタ用アンテナ３の特性（コイル１２のインダクタンスや分布容量等）に応じてアンテナチューナ２の合成容量を変更することで、リーダ・ライタ用アンテナ３の共振周波数をＩＣタグのタグ用アンテナの共振周波数に合わせるようになっている。
【００３３】
次に、リーダ・ライタ用アンテナ３の製造方法について説明する。
先ず、図４に示すように、複数（本実施形態では、８本）の巻線５１ａ〜５１ｈを平面上にて配列して帯状の巻線束５２を形成する。そして、ガムテープ等の複数の固定部材５３により各巻線５１ａ〜５１ｈを互いに固定する。なお、各巻線５１ａ〜５１ｈは、導電性の金属材料（本実施形態では、銅）よりなる金属線の周囲が絶縁性の樹脂材料よりなる被覆部材にて被覆されている。このとき、各巻線５１ｂ〜５１ｇの長さは、コイル１２の一周分の長さよりも長く形成し、巻線束５２の両端に配置される巻線５１ａ，５１ｈは、各巻線５１ｂ〜５１ｇよりも十分に長く形成する。
【００３４】
続いて、図示しない円筒（塩化ビニル管）を所定長さに切断することで形成された上辺部２１に、図５に示すように、中板２６を挿入する。同様に、左辺部２２、下辺部２３及び右辺部２４に中板２７〜２９をそれぞれ挿入する。
【００３５】
続いて、巻線束５２を、第４ジョイント３４→上辺部２１→第１ジョイント３１→左辺部２２→第２ジョイント３２→下辺部２３→第３ジョイント３３→右辺部２４→第４ジョイント３４の順に挿入し、巻線束５２の両端部を第４ジョイント３４の上側開口部３４ｃから外部に引き出す。このとき、巻線束５２が上辺部２１、左辺部２２、下辺部２３及び右辺部２４における各中板２６〜２９の外周側となるように挿入する。そして、上辺部２１、左辺部２２、下辺部２３、右辺部２４及び第１〜第４ジョイント３１〜３４をそれぞれ連結して中空ケース１１を構成する。
【００３６】
続いて、図６に示すように、第４ジョイント３４の上側開口部３４ｃから引き出した巻線束５２の両端部を引っ張ることで、巻線束５２を上辺部２１、左辺部２２、下辺部２３及び右辺部２４における各中板２６〜２９の外周面に密着させる。このとき、巻線束５２は、各中板２６〜２９に当接することで、各巻線５１ａ〜５１ｈの配列が乱れることが防止される。そして、巻線束５２の両端部の一部を切断し、巻線束５２の長さをコイル１２の一周分の長さと略等しくなるようにする。
【００３７】
続いて、図７に示すように、各巻線５１ａ〜５１ｈの両端部の被覆部材の一部を除去して金属線を露出させる。そして、各巻線５１ａ〜５１ｇの一端部と該各巻線５１ａ〜５１ｇに隣接する各巻線５１ｂ〜５１ｈの他端部とを互いに接続する。
【００３８】
具体的には、巻線５１ａの一端部と巻線５１ｂの他端部、巻線５１ｂの一端部と巻線５１ｃの他端部、巻線５１ｃの一端部と巻線５１ｄの他端部、巻線５１ｄの一端部と巻線５１ｅの他端部、巻線５１ｅの一端部と巻線５１ｆの他端部、巻線５１ｆの一端部と巻線５１ｇの他端部、巻線５１ｇの一端部と巻線５１ｈの他端部とを互いに接続する。なお、本実施形態では、各巻線５１ａ〜５１ｈ同士は、はんだ付けにより接続する。
【００３９】
これにより、巻線束５２によって巻線の本数と同じ巻数のコイル１２が形成される。そして、キャップ３５を介して巻線５１ｈの一端部及び巻線５１ａの他端部を外部に引き出して、リーダ・ライタ用アンテナ３が製造される。なお、巻線５１ａの他端部がコイル１２の始端接続部１２ａとして構成され、巻線５１ｈの一端部が終端接続部１２ｂとして構成される。
【００４０】
次に、本実施形態のリーダ・ライタ用アンテナ３を用いるＲＦＩＤシステムを利用した魚道を通過する魚の計数方法について説明する。
図８に示すように、河川６１に設けられたダムや河口堰などの河川工作物６２には、魚が遡上したり、下ったりするための魚道６３が設けられている。鮎や鱒などの魚は、魚道６３を通過することで、河川工作物６２を越えて河川６１を遡上したり、下ったりするようになっている。そして、本実施形態では、ＩＣタグとリーダ・ライタ装置との間で電波を用いて非接触方式にて情報の授受を行うＲＦＩＤ（Radio Frequency IDentification）システムにより魚道６３を通過する魚６４を認識して、計数するようになっている。
【００４１】
詳述すると、魚道６３の下流側口６３ａ及び上流側口６３ｂには、それぞれリーダ・ライタ用アンテナ３が設けられている。リーダ・ライタ装置１は、図９に示すように、魚６４がそれぞれのリーダ・ライタ用アンテナ３を通過する際に、リーダ・ライタ用アンテナ３とそれぞれの魚６４に装着されたＩＣタグ６５との間で非接触にて情報の授受を行わせることで、魚６４の通過を認識するようになっている。
【００４２】
具体的には、リーダ・ライタ装置１は、リーダ・ライタ用アンテナ３を介して制御信号を含む電波を発信する。次いで、ＩＣタグ６５のタグ用アンテナ（図示略）がリーダ・ライタ用アンテナ３からの電波を受信すると、電磁誘導作用により起電力が発生する。この起電力により、ＩＣタグ６５内のＩＣチップ（図示略）が起動し、制御信号に基づく処理を実行してタグ用アンテナから情報を電波にして送信する。そして、リーダ・ライタ装置１は、リーダ・ライタ用アンテナ３がＩＣタグ６５からの電波を受信することで、魚６４（ＩＣタグ６５）が魚道６３を通過したことを認識して、魚６４を計数するようになっている。
【００４３】
ところで、魚道６３の下流側口６３ａ及び上流側口６３ｂの大きさは、魚道６３毎に異なる。そのため、下流側口６３ａ及び上流側口６３ｂの大きさによっては、大型のリーダ・ライタ用アンテナ３を製造する必要がある。
【００４４】
この点、本実施形態では、上辺部２１、左辺部２２、下辺部２３及び右辺部２４の軸線方向の長さを長くすることで、大型のリーダ・ライタ用アンテナ３を製造することができる。このように、筒状体を用いて中空ケース１１を構成するため、従来のように平板状の部材を用いる場合に比べ、例えばリーダ・ライタ用アンテナ３を構成する各部材を持ち運ぶ際にその自重による撓みに起因した割れ等が生じ難く、容易に大型のリーダ・ライタ用アンテナ３を製造することができる。
【００４５】
以上記述したように、本実施形態によれば、以下の効果を奏する。
（１）リーダ・ライタ用アンテナ３の製造は、先ず、複数本の巻線５１ａ〜５１ｈが帯状に配列してなる巻線束５２を上辺部２１、左辺部２２、下辺部２３、右辺部２４及び第１〜第４ジョイント３１〜３４に交互に挿入する。続いて、第４ジョイント３４の上側開口部３４ｃのから巻線束５２の両端部を引き出した状態で、上辺部２１、左辺部２２、下辺部２３、右辺部２４及び第１〜第４ジョイント３１〜３４を連結して枠状の中空ケース１１を組み立てる。そして、各巻線５１ａ〜５１ｈの一端部と各巻線５１ａ〜５１ｈの他端部とを互いに接続して巻線束５２によりコイル１２を構成することで、リーダ・ライタ用アンテナ３が製造される。このように、円筒体からなる上辺部２１、左辺部２２、下辺部２３及び右辺部２４を用いて中空ケース１１を構成するため、従来のように平板状の部材を用いる場合に比べ、例えばリーダ・ライタ用アンテナを構成する各部材を持ち運ぶ際に自重による撓みに起因した割れなどが生じ難く、容易に大型のリーダ・ライタ用アンテナ３を製造することができる。
【００４６】
（２）巻線束５２を円筒体からなる上辺部２１、左辺部２２、下辺部２３及び右辺部２４内に挿入する前に、これら上辺部２１、左辺部２２、下辺部２３及び右辺部２４内に巻線束５２（コイル１２）の幅よりも大きな幅を有する中板２６〜２９を挿入した。そして、巻線束５２を上辺部２１、左辺部２２、下辺部２３及び右辺部２４内における中板２６〜２９の外周側に挿入するようにした。このように、上辺部２１、左辺部２２、下辺部２３及び右辺部２４が円筒状に形成されるため、例えば四角筒状に形成する場合に比べ、小径（小さな断面積）の筒状体で幅広の巻線束５２を挿入でき、リーダ・ライタ用アンテナ３の軽量化を図ることができる。そして、巻線束５２（コイル１２）は、各中板２６〜２９に当接するため、円筒体の内周面に巻線束５２が当接して巻線５１ａ〜５１ｈの配列が乱れることを防止できる。また、上辺部２１、左辺部２２、下辺部２３、右辺部２４及び第１〜第４ジョイント３１〜３４を汎用部品である塩化ビニル管から構成したため、コストの低減を図ることができる。
【００４７】
なお、本実施形態は、以下の態様で実施してもよい。
・上記実施形態では、コイル１２を単層ソレノイドコイルとしたが、これに限らず、多層ソレノイドコイルとしてもよい。
【００４８】
・上記実施形態では、巻線束５２を、第４ジョイント３４→上辺部２１→第１ジョイント３１→左辺部２２→第２ジョイント３２→下辺部２３→第３ジョイント３３→右辺部２４→第４ジョイント３４の順に挿入したが、これに限らず、中空ケース１１内にコイル１２が巻回されれば、どのような順序で挿入してもよい。
【００４９】
・上記実施形態では、第４ジョイント３４の上側開口部３４ｃから巻線束５２の両端部（コイル１２の始端接続部１２ａ及び終端接続部１２ｂ）を引き出すようにしたが、これに限らず、例えば上辺部２１の側面に開口部を形成し、同開口部から巻線束５２の両端部を引き出すようにしてもよい。
【００５０】
・上記実施形態では、複数の巻線５１ａ〜５１ｈを平面上にて配列して帯状の巻線束５２を形成し、ガムテープ等の固定部材５３により各巻線５１ａ〜５１ｈを互いに固定するようにしたが、これに限らず、例えば接着剤を用いて固定するようにしてもよい。
【００５１】
・上記実施形態では、上辺部２１、左辺部２２、下辺部２３、右辺部２４及び第１〜第４ジョイント３１〜３４を円筒体により構成したが、これに限らず、四角筒体など、断面が多角形の筒状体により、上辺部２１、左辺部２２、下辺部２３、右辺部２４及び第１〜第４ジョイント３１〜３４を構成してもよい。なお、上辺部２１、左辺部２２、下辺部２３及び右辺部２４を四角筒体にて構成した場合には、各中板２６〜２９を挿入しなくともよい。
【００５２】
・上記実施形態では、上辺部２１、左辺部２２、下辺部２３、右辺部２４及び第１〜第４ジョイント３１〜３４を塩化ビニル管により構成したが、これに限らず、その他の材料により構成してもよい。
【００５３】
・上記実施形態では、中空ケース１１を四角枠状に形成したが、これに限らず、魚道６３の形状に合わせて、三角枠状や五角枠状等の枠状に形成してもよい。
・上記実施形態では、各巻線５１ａ〜５１ｈ同士をはんだ付けにより接続したが、これに限らず、圧着端子などを用いて各巻線５１ａ〜５１ｈ同士を接続するようにしてもよい。
【００５４】
・上記実施形態では、リーダ・ライタ用アンテナ３を魚道６３の下流側口６３ａ及び上流側口６３ｂにそれぞれ設けたが、これに限らず、例えば上流側口６３ｂのみや魚道６３の中央に設けてもよい。
【００５５】
・上記実施形態では、リーダ・ライタ用アンテナ３を魚道６３に設け、同魚道６３を通過する魚６４を認識するようにしたが、これに限らない。例えば、河川や用水路等その他の水域にリーダ・ライタ用アンテナを設け、同水域を通過する魚を認識するようにしてよい。
【図面の簡単な説明】
【００５６】
【図１】リーダ・ライタ装置及びリーダ・ライタ用アンテナの概略構成図。
【図２】リーダ・ライタ用アンテナの断面図。
【図３】アンテナチューナの回路図。
【図４】巻線束の平面図。
【図５】中板が挿入された上辺部の斜視図。
【図６】第４ジョイントの上側開口部から巻線束の両端部を引き出した状態の斜視図。
【図７】各巻線の接続を示す説明図。
【図８】河川に設けられた魚道を示す概略図。
【図９】リーダ・ライタ用アンテナ内を通過する魚を示す概略断面図。
【図１０】（ａ）従来のリーダ・ライタ用アンテナを構成する第１ベース部材と四角筒体を示す正面図、（ｂ）（ａ）のＡ−Ａ線断面図。
【図１１】従来のリーダ・ライタ用アンテナを構成する四角筒体に巻線を巻回した状態を示す一部拡大断面図。
【図１２】従来のリーダ・ライタ用アンテナを構成する第１ベース部材及び四角筒体に第２ベース部材及びカバーを組み付けた状態を示す一部拡大断面図。
【符号の説明】
【００５７】
３…リーダ・ライタ用アンテナ、１１…中空ケース、１２…コイル、２１…上辺部、２２…左辺部、２３…下辺部、２４…右辺部、２６〜２９…中板、３１…第１ジョイント、３２…第２ジョイント、３３…第３ジョイント、３４…第４ジョイント、３４ｃ…上側開口部、５１ａ〜５１ｈ…巻線、５２…巻線束。
【図１】
2010124077.tif 000003
【図２】
2010124077.tif 000004
【図３】
2010124077.tif 000005
【図４】
2010124077.tif 000006
【図５】
2010124077.tif 000007
【図６】
2010124077.tif 000008
【図７】
2010124077.tif 000009
【図８】
2010124077.tif 000010
【図９】
2010124077.tif 000011
【図１０】
2010124077.tif 000012
【図１１】
2010124077.tif 000013
【図１２】
2010124077.tif 000014